(57)【要約】  ユーザに聴取させる試験音を減らして効率的にパラメータを決定することを可能とする遅延量決定装置、音像定位装置、遅延量決定方法、遅延量決定処理プログラムを提供する。  スピーカＬＳＰ及びＲＳＰから試験音が出力されたときの音像の定位方向が、入力部１６を用いてユーザにより指定されると、演算部１１は、この定位方向に対応する定位角を求め、異なる２つのディレイ値φ０とφ１とで定位角θ０とθ１とを求めると、この２つの定位角の差と閾値ｄｉｆｆとを比較し、差が閾値ｄｉｆｆより大きいと判定している間、φ０とφ１とのうち何れか一方を変更し、変更した方のディレイ値に対応する定位角を求め、更に２つの定位角の差と閾値ｄｉｆｆとを比較する。そして、演算部１１は、差が閾値よりｄｉｆｆより小さいと判定した場合には、このときのφ０からφ１までの範囲内で、一のディレイ値を最適ディレイ値として選択する。
2010004649.tif 000002
【特許請求の範囲】
【請求項１】
試験音信号を出力する試験音信号出力手段と、
設定された遅延量に応じて前記試験音信号を遅延させる遅延手段と、
前記試験音信号に対応する試験音が一方のスピーカから出力された状態で且つ前記遅延手段により遅延させられた前記試験音信号に対応する試験音が他方のスピーカから出力された状態で聴者が感じた音像の定位方向、を入力するための入力手段と、
前記入力手段を用いて入力された前記定位方向に相当する定位角であって、互いに異なる２つの前記遅延量で夫々前記試験音信号が遅延させられたときの一方の定位角と他方の定位角との差を閾値と比較する比較手段と、
前記差が前記閾値より大きいと判定されている間、前記２つの遅延量のうち何れか一方を変更し、変更した方の前記遅延量で前記試験音信号が遅延させられたときの前記定位角と他方の前記定位角とを用いて前記比較手段に前記比較を行わせる制御手段と、
前記差が前記閾値より小さいと判定された場合に、このときの前記２つの遅延量の一方から他方までの範囲内で予め定められた条件に基づいて一の遅延量を選択する選択手段と、
を備えることを特徴とする遅延量決定装置。
【請求項２】
請求項１に記載の遅延量決定装置において、
前記２つの遅延量の一方の遅延量から他方の遅延量までの範囲内に前記定位角が最大となる遅延量が含まれるよう、当該２つの遅延量の初期値が設定されていることを特徴とする遅延量決定装置。
【請求項３】
請求項２に記載の遅延量決定装置において、
前記２つの遅延量のうち、一方の遅延量の初期値はπラジアンに設定され、他方の遅延量の初期値は２πラジアンに設定されていることを特徴とする遅延量決定装置。
【請求項４】
請求項１に記載の遅延量決定装置において、
前記制御手段は、前記２つの遅延量のうち前記定位角が小さい方を、他方の遅延量に近づくように変更することを特徴とする遅延量決定装置。
【請求項５】
請求項４に記載の遅延量決定装置において、
前記制御手段は、前記２つの遅延量のうち前記定位角が小さい方を、当該２つの遅延量の平均値に変更することを特徴とする遅延量決定装置。
【請求項６】
請求項１に記載の遅延量決定装置において、
前記選択手段は、前記２つの遅延量の平均値を選択することを特徴とする遅延量決定装置。
【請求項７】
請求項１に記載の遅延量決定装置において、
前記試験音信号出力手段は、互いに異なる複数の周波数の前記試験音信号を発生させ、
前記選択手段は、周波数毎に遅延量を選択し、
前記選択手段により周波数毎に選択された遅延量に基づいて、前記複数の周波数を除く他の周波数における遅延量を算出する算出手段を更に備えることを特徴とする遅延量決定装置。
【請求項８】
請求項７に記載の遅延量決定装置において、
前記試験音信号出力手段は、２つの周波数の前記試験音信号を発生させ、
前記算出手段は、予め定められた周波数に対して予め設定された前記遅延量と、前記選択手段により選択された２つ前記遅延量と、に基づいて、前記他の周波数における遅延量を補間することを特徴とする遅延量決定装置。
【請求項９】
請求項８に記載の遅延量決定装置において、
前記予め定められた周波数は、聴者が最適な方向と感じる前記定位方向の、聴者間または聴取環境間での差が小さいとされる周波数範囲として予め定められた範囲内で設定され、
前記２つの周波数は、前記予め定められた範囲の外で設定されていることを特徴とする遅延量決定装置。
【請求項１０】
請求項１乃至６の何れか１項に記載の遅延量決定装置と、
前記選択手段により選択された遅延量を、前記遅延手段により用いられる遅延量として設定する設定手段と、
入力された音信号を前記一方のスピーカに出力する一方出力手段と、
前記遅延手段により遅延させられた前記音信号を前記他方のスピーカに出力する他方出力手段と、を備え、
前記遅延手段は、前記音信号を遅延させることを特徴とする音像定位装置。
【請求項１１】
請求項７乃至９の何れか１項に記載の遅延量決定装置と、
前記選択手段により選択された遅延量と、前記算出手段により算出された遅延量と、を、前記遅延手段により用いられる遅延量として、夫々対応する周波数に対して設定する設定手段と、
入力された音信号を前記一方のスピーカに出力する一方出力手段と、
前記遅延手段により遅延させられた前記音信号を前記他方のスピーカに出力する他方出力手段と、を備え、
前記遅延手段は、前記音信号を周波数毎に遅延させることを特徴とする音像定位装置。
【請求項１２】
試験音信号を出力し、
設定された遅延量に応じて前記試験音信号を遅延させ、
前記試験音信号に対応する試験音が一方のスピーカから出力された状態で且つ前記遅延させられた前記試験音信号に対応する試験音が他方のスピーカから出力された状態で聴者が感じた音像の定位方向、を入力するための入力手段を用いて入力された前記定位方向に相当する定位角であって、互いに異なる２つの前記遅延量で夫々前記試験音信号が遅延させられたときの一方の定位角と他方の定位角との差を閾値と比較し、
前記差が前記閾値より大きいと判定されている間、前記２つの遅延量のうち何れか一方を変更し、変更した方の前記遅延量で前記試験音信号が遅延させられたときの前記定位角と他方の前記定位角とを用いて前記比較を行い、
前記差が前記閾値より小さいと判定された場合に、このときの前記２つの遅延量の一方から他方までの範囲内で予め定められた条件に基づいて一の遅延量を選択することを特徴とする遅延量決定方法。
【請求項１３】
コンピュータを、
試験音信号を出力する試験音信号出力手段、
設定された遅延量に応じて前記試験音信号を遅延させる遅延手段、
前記試験音信号に対応する試験音が一方のスピーカから出力された状態で且つ前記遅延手段により遅延させられた前記試験音信号に対応する試験音が他方のスピーカから出力された状態で聴者が感じた音像の定位方向、を入力するための入力手段を用いて入力された前記定位方向に相当する定位角であって、互いに異なる２つの前記遅延量で夫々前記試験音信号が遅延させられたときの一方の定位角と他方の定位角との差を閾値と比較する比較手段、
前記差が前記閾値より大きいと判定されている間、前記２つの遅延量のうち何れか一方を変更し、変更した方の前記遅延量で前記試験音信号が遅延させられたときの前記定位角と他方の前記定位角とを用いて前記比較手段に前記比較を行わせる制御手段、及び
前記差が前記閾値より小さいと判定された場合に、このときの前記２つの遅延量の一方から他方までの範囲内で予め定められた条件に基づいて一の遅延量を選択する選択手段、
として機能させることを特徴とする遅延量決定処理プログラム。
【発明の詳細な説明】
【技術分野】
【０００１】
本願は、サラウンドシステムにおいて音像の定位に係るパラメータを聴者の主観実験に基づいて設定する遅延量決定装置、音像定位装置、遅延量決定方法、遅延量決定処理プログラムの技術分野に関する。
【背景技術】
【０００２】
５．１ｃｈのようなサラウンドシステムを利用するためには、リスナーの後方にサラウンド用スピーカを配置する必要があるが、一般的な住宅においては、このサラウンド用スピーカを配置するスペースが無い場合が多いことから、従来、前方のスピーカのみで、サラウンド音響を実現するフロントサラウンドシステムが提案されている。【０００３】
例えば、本願の発明者等は、入力されたサラウンド信号を、左右のスピーカうち対応するスピーカに出力する一方、このサラウンド信号を周波数帯域毎に所定の遅延量で遅延させるとともに減衰させて、他方のスピーカに出力するサラウンド再生システムを提案した（非特許文献１）。【０００４】
このサラウンド再生システムによれば、基本的には帯域毎の位相のみを制御するため、音質の劣化が少なく、また、頭部伝達関数のようなリスナーの特徴に依存するような情報を用いないため、効果の個人差が少なくなる。【０００５】
ところで、こうしたサラウンドシステムにおいて、ユーザやリスニング環境に合ったサラウンド効果が得られるようなパラメータを設定するためには、ユーザが自身のリスニング環境において実験や測定を行う必要がある。ところが、こうした作業は、周波数帯域毎に且つ設定すべきパラメータ毎（非特許文献１に記載の発明の場合は、帯域毎の遅延量）に試験音等を出力して行わなければならいため、ユーザに対して相当な負担を強いることとなっていた。【０００６】
一方、特許文献１に記載の発明は、こうした作業を簡便且つ効率的に行うことを目的として、オーディオ信号の定位点を所定の移動軌跡に沿って移動させ、操作者が適切な定位を得られたと判断した定位点を、当該オーディオ信号に対する定位設定位置として設定する。
【非特許文献１】小幡健作、他１名、前方２つのスピーカによるサラウンド再生システム、日本バーチャルリアティ学会第１２回大会論文集、2007年9月
【特許文献１】特開２００５−１０１７３８
【発明の開示】
【発明が解決しようとする課題】
【０００７】
しかしながら、前記特許文献１に記載の発明では、定位点が移動している最中、ユーザはその定位点を常に意識しなければならない分、負担が大きいため、その効果は限定的とならざるを得ない。【０００８】
本願は、以上の点に鑑みてなされたものであり、その課題の一例は、ユーザに聴取させる試験音を減らして効率的にパラメータを決定することを可能とする遅延量決定装置、音像定位装置、遅延量決定方法、遅延量決定処理プログラムを提供することにある。
【課題を解決するための手段】
【０００９】
上記課題を解決するために、本願の一つの観点における遅延量決定装置は、試験音信号を出力する試験音信号出力手段と、設定された遅延量に応じて前記試験音信号を遅延させる遅延手段と、前記試験音信号に対応する試験音が一方のスピーカから出力された状態で且つ前記遅延手段により遅延させられた前記試験音信号に対応する試験音が他方のスピーカから出力された状態で聴者が感じた音像の定位方向、を入力するための入力手段と、前記入力手段を用いて入力された前記定位方向に相当する定位角であって、互いに異なる２つの前記遅延量で夫々前記試験音信号が遅延させられたときの一方の定位角と他方の定位角との差を閾値と比較する比較手段と、前記差が前記閾値より大きいと判定されている間、前記２つの遅延量のうち何れか一方を変更し、変更した方の前記遅延量で前記試験音信号が遅延させられたときの前記定位角と他方の前記定位角とを用いて前記比較手段に前記比較を行わせる制御手段と、前記差が前記閾値より小さいと判定された場合に、このときの前記２つの遅延量の一方から他方までの範囲内で予め定められた条件に基づいて一の遅延量を選択する選択手段と、を備えることを特徴とする。【００１０】
また、本願の他の観点では、前記遅延量決定装置と、前記選択手段により選択された遅延量を、前記遅延手段により用いられる遅延量として設定する設定手段と、入力された音信号を前記一方のスピーカに出力する一方出力手段と、前記遅延手段により遅延させられた前記音信号を前記他方のスピーカに出力する他方出力手段と、を備え、前記遅延手段は、前記音信号を遅延させることを特徴とする。【００１１】
また、本願の更に他の観点では、前記遅延量決定装置と、前記選択手段により選択された遅延量と、前記算出手段により算出された遅延量と、を、前記遅延手段により用いられる遅延量として、夫々対応する周波数に対して設定する設定手段と、入力された音信号を前記一方のスピーカに出力する一方出力手段と、前記遅延手段により遅延させられた前記音信号を前記他方のスピーカに出力する他方出力手段と、を備え、前記遅延手段は、前記音信号を周波数毎に遅延させることを特徴とする。【００１２】
また、本願の更に他の観点では、試験音信号を出力し、設定された遅延量に応じて前記試験音信号を遅延させ、前記試験音信号に対応する試験音が一方のスピーカから出力された状態で且つ前記遅延させられた前記試験音信号に対応する試験音が他方のスピーカから出力された状態で聴者が感じた音像の定位方向、を入力するための入力手段を用いて入力された前記定位方向に相当する定位角であって、互いに異なる２つの前記遅延量で夫々前記試験音信号が遅延させられたときの一方の定位角と他方の定位角との差を閾値と比較し、前記差が前記閾値より大きいと判定されている間、前記２つの遅延量のうち何れか一方を変更し、変更した方の前記遅延量で前記試験音信号が遅延させられたときの前記定位角と他方の前記定位角とを用いて前記比較を行い、前記差が前記閾値より小さいと判定された場合に、このときの前記２つの遅延量の一方から他方までの範囲内で予め定められた条件に基づいて一の遅延量を選択することを特徴とする。【００１３】
また、本願の更に他の観点では、コンピュータを、試験音信号を出力する試験音信号出力手段、設定された遅延量に応じて前記試験音信号を遅延させる遅延手段、前記試験音信号に対応する試験音が一方のスピーカから出力された状態で且つ前記遅延手段により遅延させられた前記試験音信号に対応する試験音が他方のスピーカから出力された状態で聴者が感じた音像の定位方向、を入力するための入力手段を用いて入力された前記定位方向に相当する定位角であって、互いに異なる２つの前記遅延量で夫々前記試験音信号が遅延させられたときの一方の定位角と他方の定位角との差を閾値と比較する比較手段、前記差が大きいと判定されている間、前記２つの遅延量のうち何れか一方を変更し、変更した方の前記遅延量で前記試験音信号が遅延させられたときの前記定位角と他方の前記定位角とを用いて前記比較手段に前記比較を行わせる制御手段、及び前記差が前記閾値より小さいと判定された場合に、このときの前記２つの遅延量の一方から他方までの範囲内で予め定められた条件に基づいて一の遅延量を選択する選択手段、として機能させることを特徴とする。
【図面の簡単な説明】
【００１４】
【図１】一実施形態に係るディレイ値設定装置１０の概要構成の一例を示すブロック図である。
【図２】ある主観実験で得られたディレイ値と定位角との関係を示すグラフの一例である。
【図３】最適ディレイ値の算出方法を説明するためのディレイ値と定位角との関係を示すグラフの一例である。
【図４】試験音の周波数を５００Ｈｚとしたときの主観実験の結果を示すグラフの一例であり、（ａ）は、被験者Ａのグラフであり、（ｂ）は、被験者Ｂのグラフである。
【図５】試験音の周波数を２５０Ｈｚとしたときの主観実験の結果を示すグラフの一例であり、（ａ）は、被験者Ａのグラフであり、（ｂ）は、被験者Ｂのグラフである。
【図６】試験音の周波数を１２５０Ｈｚとしたときの主観実験の結果を示すグラフの一例であり、（ａ）は、被験者Ａのグラフであり、（ｂ）は、被験者Ｂのグラフである。
【図７】ある主観実験で得られた周波数と最適ディレイ値との関係を示すグラフの一例である。
【図８】一実施形態に係るディレイ値設定装置１０の最適ディレイ値設定処理における処理内容を示すフローチャートである。
【図９】一実施形態に係るディレイ値設定装置１０の定位実験処理における処理内容を示すフローチャートである。
【図１０】（ａ）及び（ｂ）は、定位位置回答用ＧＵＩ画面３００の表示例を示す図である。
【図１１】一実施例に係るＡＶアンプ５０の概要構成の一例を示すブロック図である。
【符号の説明】
【００１５】
１０  ディレイ値設定装置
１１  演算部
１２  記憶部
１３  試験信号発生部
１４  遅延部
１５  ＧＵＩ表示部
１６  入力部
５０  ＡＶアンプ
５１  マイコン
５２  メモリ
５３  デコーダ
５４  試験信号発生回路
５５、５６  スイッチ
５７、６０  アッテネータ
５８、６１  オールパスフィルタ
５９、６２  加算器
６３  ディスプレイ
６４  マウス
１００  ユーザ
２００  音像
ＬＳＰ  左側スピーカ
ＲＳＰ  右側スピーカ
ＳＷ  サブウーファ
【発明を実施するための最良の形態】
【００１６】
以下、図面を参照して本願の最良の実施形態について詳細に説明する。なお、以下に説明する実施の形態は、ディレイ値設定装置に対して本願を適用した場合の実施形態である。【００１７】
［１．サラウンド再生システムの概要］
始めに、本実施形態に係るディレイ値設定装置１０が組み込まれるサラウンド再生システムの概要について説明する。【００１８】
本サラウンド装置は、前記非特許文献１に記載されているように、サラウンド信号（音信号の一例）を、そのままスルーで一方のスピーカに出力するとともに、このサラウンド信号を、オールパスフィルタ（遅延手段の一例）で周波数帯域毎に、設定されたディレイ値で遅延させた後、減衰させて、他方のスピーカに出力するようになっている。【００１９】
具体的に、本サラウンド再生システムは、外部から入力された左側サラウンド信号を、そのままスルーで前面左側スピーカに出力する一方、当該左側サラウンド信号を、オールパスフィルタで遅延させた後、減衰させて、前面右側スピーカに出力する構成となっている。また、右側サラウンド信号に関しても、左右が入れ替わるだけで、その構成は、左側サラウンド信号の場合と同様である。【００２０】
ここで、オールパスフィルタに用いられるディレイ値は、遅延量の一例であり、単位はラジアンである。本サラウンド再生システムにおいては、周波数帯域毎のディレイ値が、サラウンド音声の音像の定位角を決定するパラメータとなる。【００２１】
そこで、ディレイ値設定装置１０は、本サラウンド再生システムを利用するユーザ（聴者の一例）のリスニング環境（聴取環境の一例）における最適なディレイ値を、ユーザの主観実験により決定するのである。【００２２】
［２．ディレイ値設定装置の構成］
次に、本実施形態に係るディレイ値設定装置１０の構成について、図１を用いて説明する。【００２３】
図１は、本実施形態に係るディレイ値設定装置１０の概要構成の一例を示すブロック図である。【００２４】
なお、ディレイ値設定装置１０は、上記サラウンド再生システムの一部を構成するが、ディレイ値設定装置１０を除く当該サラウンド再生システムの具体的な構成については、説明を省略する。また、以下では、上記サラウンド再生システムにおいて左側サラウンド信号を処理するためのディレイ値を設定する構成のみについて説明するが、右側サラウンド信号を処理するためのディレイ値を設定する構成についても同様である。【００２５】
図１に示すように、ディレイ値設定装置１０は、比較手段、制御手段、選択手段及び算出手段の一例としての演算部１１と、記憶部１２と、試験音信号出力手段の一例としての試験信号発生部１３と、遅延手段の一例としての遅延部１４と、ＧＵＩ表示部１５と、入力手段の一例としての入力部１６と、を含んで構成されている。【００２６】
演算部１１は、ＣＰＵ（Central Processing Unit）、ＲＯＭ（Read Only Memory）、ＲＡＭ（Random Access Memory）等により構成されており、記憶部１２に記憶されている各種プログラム等を読み出し実行ことにより、ディレイ値設定装置１０全体を制御するとともに、比較手段、制御手段、選択手段及び算出手段として機能するようになっている。【００２７】
記憶部１２は、例えば、フラッシュメモリ等の不揮発性の記憶手段であり、各種プログラムを記憶している。また、記憶部１２には、設定された周波数帯毎のディレイ値が記憶されているとともに、ある周波数帯域については、最適とされているディレイ値が予め記憶されている。なお、各種プログラムは、例えば、図示せぬドライブ装置を介して記録媒体から供給されても良いし、ネットワークを介して、サーバ装置とうから取得するようにしても良いし、ディレイ値設定装置１０の出荷時に予め記憶させておいても良い。【００２８】
試験信号発生部１３は、演算部１１により指定された周波数の試験信号（試験音信号の一例）を、左側スピーカＬＳＰと、遅延部１４と、に供給するようになっている。【００２９】
遅延部１４は、試験信号発生部１３から供給された試験信号を、演算部１１により指定されたディレイ値が示す位相分だけ遅延させ、この遅延させた試験信号を、右側スピーカＲＳＰに供給するようになっている。【００３０】
ＧＵＩ表示部１５は、例えば、液晶ディスプレイ等により構成されており、演算部１１の制御に基づいて文字や画像等を表示するようになっている。【００３１】
入力部１６は、例えば、マウスやタッチパネル等のポインティングデバイスにより構成されており、ユーザからの操作指示を受け付け、その指示内容を指示信号として演算部１１に供給するようになっている。【００３２】
ここで、ＧＵＩ表示部１５及び入力部１６は、スピーカＬＳＰ及びＲＳＰから出力された試験音に基づいてユーザが主観による音像の定位位置を入力するための、グラフィカルユーザインターフェースを提供している。【００３３】
なお、符号１００は、ユーザの頭部を示し、符号２００は、音像を示している。【００３４】
［３．最適ディレイ値の決定方法］
次に、本実施形態に係るディレイ値設定装置１０において、記憶部１２記憶させる最適なディレイ値（以下、「最適ディレイ値」）を決定するための方法について、図２乃至図７を用いて説明する。【００３５】
図２は、ある主観実験で得られたディレイ値と定位角との関係を示すグラフの一例である。また、図３は、最適ディレイ値の算出方法を説明するためのディレイ値と定位角との関係を示すグラフの一例である。また、図４は、試験音の周波数を５００Ｈｚとしたときの主観実験の結果を示すグラフの一例であり、（ａ）は、被験者Ａのグラフであり、（ｂ）は、被験者Ｂのグラフである。また、図５は、試験音の周波数を２５０Ｈｚとしたときの主観実験の結果を示すグラフの一例であり、（ａ）は、被験者Ａのグラフであり、（ｂ）は、被験者Ｂのグラフである。また、図６は、試験音の周波数を１２５Ｈｚとしたときの主観実験の結果を示すグラフの一例であり、（ａ）は、被験者Ａのグラフであり、（ｂ）は、被験者Ｂのグラフである。また、図７は、ある主観実験で得られた周波数と最適ディレイ値との関係を示すグラフの一例である。【００３６】
本実施形態においては、２つの周波数帯域において、夫々最適ディレイ値を決定し、その後、この２つの最適ディレイ値に基づいて、他の周波数帯域における最適ディレイ値を決定するようになっている。【００３７】
［３．１  ２つの周波数帯域における最適ディレイ値の決定方法］
図２は、本願の発明者等が、試験音の周波数を５００Ｈｚとして行った主観実験で得られた結果を示すグラフであり、被験者が感じた試験音の音像の定位角を、０から２πまで０．１πラジアン毎に示している。【００３８】
この場合における定位角は、ユーザの正面方向を０°として、ユーザが感じる音像の方向が左側に広がるほど大となる。そして、音像がユーザの真左にある場合の定位角は＋９０°であり、音像がユーザの真右にある場合の定位角は−９０°である。なお、これは、右スピーカＲＳＰの試験音を遅延させる場合の定位角であって、左スピーカＬＳＰの試験音を遅延させる場合には、プラスマイナスが逆転する。【００３９】
図２に示すように、この主観実験においては、ディレイ値が１．２πラジアン〜１．３πラジアン付近のときに定位角が最大となり、このディレイ値が最適ディレイ値となる。【００４０】
また、上記以外のディレイ値に対する定位角は、多少のずれはあるものの、最適ディレイ値である上記１．２πラジアン〜１．３πラジアン付近を対称軸として、ほぼ線対称の関係にあるといっても良い状態となる。【００４１】
このように、各ディレイ値に対する定位角は最適ディレイ値を対称軸として線対称となることを前提とした場合において、図３に示すように、ディレイ値φ０とφ１との間に、定位角が最大となるディレイ値が存在すると仮定する。そうすると、φ０＝φ１が成立するときに、φ０とφ１との平均値である（φ０＋φ１）／２が、最適ディレイ値ということとなる。【００４２】
そこで、本実施形態においては、ディレイ値がφ０である場合における定位角と、ディレイ値がφ１である場合における定位角とを主観実験により求める。そして、この２つの定位角の差が所定の閾値以下となるまでφ０またはφ１をその値が互いに近づくように変更しながら主観実験を行う。【００４３】
例えば、ディレイ値をφ０としたときに得られた定位角θ０と、ディレイ値をφ１としたときに得られた定位角θ１とを比較値して、θ０の方が大きい場合には、最適ディレイ値は（φ０＋φ１）／２よりも小さいと考えられる。つまり、最適ディレイ値は、φ１よりもφ０の方に近い値をとると考えられる。【００４４】
こうした理由から、本実施形態においては、定位角がより小さかった方のディレイ値（上記例ではφ１）を（φ０＋φ１）／２に変更し、この変更した方のディレイ値のみについて再度主観実験を行うのである。【００４５】
このようにして、２つの定位角の差が閾値以下となったら、このときのφ０とφ１との平均値を最適ディレイ値として設定するようになっている。これによって、主観実験の対象とするディレイ値の点数を削減することができる。【００４６】
このときの閾値を小さい値にするほど、最適ディレイ値の精度は高まると考えられるが、その分演算量が増加するので、対象とするシステムに応じて適切な値に設定しておくことが望ましい。また、この閾値は、ユーザが設定しても良い。【００４７】
なお、最適ディレイ値として必ずしもφ０とφ１との平均値を選択する必要はなく、例えば、最適ディレイ値からの定位角の下がり具合の傾向が予め分かっている場合には、その傾向に対応して、φ０からφ１までの範囲内で適切なディレイ値を選択しても良い。【００４８】
また、再度主観実験を行う方のディレイ値の変更後の値は必ずしも（φ０＋φ１）／２に限る必要はない。例えば、定位角が大きかった方のディレイ値を、他方のディレイ値から遠ざかるような値に変更しても良い。【００４９】
以上説明した方法で最適ディレイ値を求めるためには、φ０とφ１との間に最適ディレイ値が存在しなければならない。従って、φ０及びφ１の初期値を適切に設定する必要がある。【００５０】
これに関し、本願の発明者等が主観実験を行った結果、最適ディレイ値は、リスナーの特性やリスニング環境などに依らず、πラジアンから２πラジアンまでの範囲内に存在することが判明している（例えば、図２）。この結論は、物理的な検討からも導き出すことができる。【００５１】
つまり、本サラウンド再生システムは、左右から出力される音波の相互干渉によってリスナーの片側の耳の位置に音圧のディップ（他の位置と比較して音圧が特に低下する部分）を作り出し、これによってリスナーの両耳間の音圧レベルの差を強調させ、音像を側方に定位させるものである。【００５２】
そして、例えば、左右の音圧レベルに差がない場合で説明するが、右側のスピーカから出力される音波の位相を遅延させていくに従って、音圧のディップは右に移動していく。このようにして遅延量がπラジアンとなったとき、左右のスピーカを結ぶ線分の垂直２等分線上において、左右のスピーカから出力される音波は丁度逆相の関係となる。このとき、この垂直２等分線上にリスナーが位置すると仮定すると、リスナーの両耳間での音圧レベルは同一となり、音像の定位角は０°となる。つまり、リスナーは、自分の正面に音像が位置すると感じるのである。従って、音圧のディップを右側の耳付近に位置させるためには、左側のスピーカから出力される音波を、πラジアンから更に遅延させる必要がある。【００５３】
そして、遅延量が２πラジアンとなった場合には、位相の遅延が無い状態と等価となるから、このときの定位角は基本的に０°となる。【００５４】
そこで、本実施形態においては、φ０の初期値をπラジアンに設定し、φ１の初期値を２πラジアンに設定することとした。これによって、０〜πラジアンまでの範囲では、主観実験を省略することができる。勿論、φ０の初期値を（２ｎ−１）πラジアンに設定し、φ１の初期値を２ｎπラジアンに設定しても同様であるが（ｎは、２以上自然数）、この中でπ及び２πラジアンが最適であることは無論である。【００５５】
なお、最適ディレイ値を含む範囲であれば、φ０及びφ１の初期値を上記とは別の値としてもかまわない。【００５６】
［３．２  他の周波数帯における最適ディレイ値の決定方法］
図４、図５及び図６は、本願の発明者等が、試験音の周波数が５００Ｈｚ、２５０Ｈｚ及び１２５Ｈｚの場合において、夫々２名の被験者を対象として主観実験を行った結果を示すグラフである。なお、左右の試験音に若干の音圧レベル差をつけたため、０ラジアンと２πラジアンとにおける定位角は、０°から若干ずれている。【００５７】
周波数５００Ｈｚで被験者Ａを対処とした場合の結果を示す図４（ａ）においては、定位角が最大となるディレイ値は１．３πラジアンである。また、同じく周波数５００Ｈｚで被験者Ｂを対処とした場合の結果を示す図４（ｂ）においては、定位角が最大となるディレイ値は１．１πラジアンである。従って、周波数が５００Ｈｚである場合においては、リスナーによって最適ディレイ値に開きがあることが見て取れる。【００５８】
一方、周波数２５０Ｈｚで被験者Ａを対処とした場合の結果を示す図５（ａ）においては、定位角が最大となるディレイ値はπラジアンである（実際には、πラジアンと１．１πラジアンとの間に最適ディレイ値が存在するものと考えられる）。また、同じく周波数２５０Ｈｚで被験者Ｂを対処とした場合の結果を示す図５（ｂ）においても、定位角が最大となるディレイ値はπラジアンである。従って、周波数が２５０Ｈｚである場合においては、リスナーによって最適ディレイ値にあまり開きが無いことが見て取れる。【００５９】
また、周波数１２５Ｈｚで被験者Ａを対処とした場合の結果を示す図６（ａ）においては、定位角が最大となるディレイ値はπラジアンである（実際には、πラジアンと１．１πラジアンとの間に最適ディレイ値が存在するものと考えられる）。また、同じく周波数１２５Ｈｚで被験者Ｂを対処とした場合の結果を示す図５（ｂ）においても、定位角が最大となるディレイ値はπラジアンである。従って、周波数が１２５Ｈｚである場合においても、リスナーによって最適ディレイ値にあまり開きが無いことが見て取れる。【００６０】
こうした主観実験の結果、比較的低域（２５０Ｈｚ程度以下）の範囲においては、その最適ディレイ値は、リスナーの特性にあまり影響されないことが判明している。従って、この範囲内においては、予め最適ディレイ値を求めておけば、サラウンド再生システムをユーザが実際に利用する段階で、改めて主観実験を行う必要はない。【００６１】
また、図７は、１２５Ｈｚから２０００Ｈｚまで１／３オクターブ毎に主観実験を行って夫々の最適ディレイ値を求めた結果である。図７に示すように、このグラフは曲線状に近い形状（楕円の円弧状）となっている。従って、３点の周波数における最適ディレイ値を求めることができれば、その他の周波数における最適ディレイ値も、曲線補間によって求めることができる。【００６２】
そこで、本実施形態においては、２５０Ｈｚ以下の任意の帯域１点において予め求めた最適ディレイ値を設定しておき、２５０Ｈｚを越える任意の帯域２点において主観実験を行い、夫々の最適ディレイ値を求め、これら３つの最適ディレイ値からその他の帯域に対する最適ディレイ値を補間によって求めることとした。これによって、主観実験の対象とする周波数の点数を削減することができる。【００６３】
なお、４点以上の帯域に対する最適ディレイ値で、その他の周波数に対する最適ディレイ値を補間しても良い。また、例えば、主観実験で得られた３点以上の最適ディレイ値で、その他の帯域に対する最適ディレイ値を補間しても良い。【００６４】
また、以上説明した３．１に記載の方法と３．２に記載の方法との何れも実行することができるように、ディレイ値設定装置１０を構成する必要はない。何れか一方のみであっても、主観実験の回数を削減することは可能である。【００６５】
［４．ディレイ値設定装置１０の動作］
次に、本実施形態に係るディレイ値設定装置１０の動作について説明する。【００６６】
図８は、本実施形態に係るディレイ値設定装置１０の最適ディレイ値設定処理における処理内容を示すフローチャートである。また、図９は、本実施形態に係るディレイ値設定装置１０の定位実験処理における処理内容を示すフローチャートである。また、図１０（ａ）及び図１０（ｂ）は、定位位置回答用ＧＵＩ画面３００の表示例を示す図である。【００６７】
ユーザが入力部１６を操作して、ディレイ値の設定開始を指示すると、図８に示すように、ディレイ値設定装置１０の演算部１１は、ＧＵＩ表示部１５にメッセージを表示させ、視聴位置とスピーカ位置との入力を促す。視聴位置とは、左側スピーカＬＳＰと右側スピーカＲＳＰとの中心点からユーザまでの距離である。また、スピーカ位置とは、左側スピーカＬＳＰと右側スピーカＲＳＰとの間の距離である。【００６８】
ここで、ユーザが、入力部１６を操作して、視聴位置とスピーカ位置とを入力すると（ステップＳ１）、演算部１１は、定位位置回答用ＧＵＩ画面３００をＧＵＩ表示部１５に表示させる（ステップＳ２）。【００６９】
図１０（ａ）に示すように、定位位置回答用のＧＵＩ画面３００は、左スピーカマーク３０１、右スピーカマーク３０２、ユーザマーク３０３、再生ボタン３０４、次ボタン３０５等により構成されている。【００７０】
左スピーカマーク３０１、右スピーカマーク３０２及びユーザマーク３０３は、左側スピーカＬＳＰ、右側スピーカＲＳＰ及びユーザを示し、入力された視聴位置とスピーカ位置とに応じて、その位置関係が表示される。ユーザは、入力部１６を操作してポインタ３０６を移動させ、画面上の任意の位置を指定することにより、ユーザが感じた試験音の定位位置（あるいは方向）が指定される。【００７１】
テスト音再生ボタン３０４は、ユーザが今聴いた試験音を再度聞くためのボタンである。また、次ボタン３０４は、次の試験音（例えば、今聴いた試験音とはディレイ値が異なる試験音、周波数が異なる試験音等）を聴くためのボタンである。【００７２】
このように、ディレイ値設定装置１０は、グラフィカルユーザインターフェースをユーザに対して提供することで、ユーザの回答を容易にしている。【００７３】
なお、定位位置回答用のＧＵＩ画面３００を、例えば、図１０（ｂ）に示すように表示しても良い。図１０（ａ）との違いは、図１０（ｂ）では、グリッド表示されている点であり、グリッドで区切られたエリアのうちポインタ３０６が位置するエリアが、符号３０７に示すように、例えば、反転表示される。ここで、ユーザがグリッド表示された画面上の任意のエリアを選択することにより、試験音の定位位置を指定することができる。図１０（ａ）に示す表示態様では、微細な設定が可能となるが、図１０（ｂ）においては、選択肢を限定することによって、ユーザが容易に回答を行うことができるようにしている。【００７４】
演算部１１は、定位位置回答用のＧＵＩ画面３００を表示すると、次いで、タイムアライメント処理を実行する（ステップＳ３）。具体的に、演算部１１は、入力された視聴位置とスピーカ位置とに基づいて、ユーザの正面に音像が定位するように（定位角が０°となるように）、ディレイ値を設定する。【００７５】
次いで、演算部１１は、予め定められた帯域１（例えば、中心周波数５００Ｈｚ）で、後述する定位実験処理を実行し（ステップＳ４）、次いで、帯域２（例えば、中心周波数２０００Ｈｚ）で定位実験処理を実行する（ステップＳ５）。この処理において、主観実験が行われ、２つの帯域における最適ディレイ値が求められる。【００７６】
図９に示すように、定位実験処理において、演算部１１は、先ず、設定された帯域の中心周波数を、実験に用いる実験周波数として試験信号発生部１３に設定する（ステップＳ１１）。【００７７】
次いで、演算部１１は、φ０にπラジアンを設定するとともに、φ１に２πラジアンを設定する（ステップＳ１２）。【００７８】
次いで、演算部１１は、実験ディレイ値にφ０を設定し、この実験ディレイ値での主観実験処理を行い、このときのθ０を決定する（ステップＳ１３）。具体的に、演算部１１は、実験ディレイ値を遅延部１４に設定する。次いで、演算部１１は、試験信号発生部１３を制御し、設定した実験周波数で試験信号を発生させる。試験信号発生部１３が発生させた試験信号は、そのままスルーで左側スピーカＬＳＰに供給される一方、遅延部１４にも供給される。そして、設定された実験ディレイ値で遅延部１４により遅延させられた試験信号は、右側スピーカＲＳＰに供給される。そして、左側スピーカＬＳＰ及び右側スピーカＲＳＰから、実験周波数の試験音が夫々出力される。【００７９】
これを聴いたユーザは、ＧＵＩ表示部１５に表示された定位位置回答用ＧＵＩ画面３００を見ながら入力部１６を操作して、試験音の定位位置を指定する。指定された定位位置に対応する情報が入力部１６から演算部１１に供給され、演算部１１は、この情報と視聴位置及びスピーカ位置とに基づいてθ０を算出する。【００８０】
演算部１１は、こうしてθ０を決定すると、同様にして、実験ディレイ値にφ１を設定し、この実験ディレイ値での主観実験処理を行い、このときのθ１を決定する（ステップＳ１４）。【００８１】
次いで、演算部１１は、θ２＝（θ０＋θ１）／２を計算し、θ２を算出する（ステップＳ１５）。つまり、演算部１１は、θ０とθ１との平均値を算出する。【００８２】
次いで、演算部１１は、｜θ０−θ１｜が閾値ｄｉｆｆ（閾値の一例）よりも大きいか否かを判定する（ステップＳ１６）。つまり、演算部１１は、θ０とθ１との差の絶対値が閾値よりも大きいか否かを判定する。【００８３】
このとき、演算部１１は、｜θ０−θ１｜が閾値ｄｉｆｆよりも大きい場合には（ステップ１６：ＹＥＳ）、次いで、θ０がθ１よりも小さいか否かを判定する（ステップＳ１７）。【００８４】
このとき、演算部１１は、θ０がθ１よりも小さい場合には（ステップＳ１７：ＹＥＳ）、θ０にθ２を設定し（ステップＳ１８）、この変更後のθ０を実験ディレイ値に設定し、ステップＳ１３と同様にして、この実験ディレイ値での主観実験処理を行い、このときのθ０を決定すると（ステップＳ１９）、ステップＳ１６に移行する。【００８５】
一方、演算部１１は、θ０がθ１よりも小さくはない場合には（ステップＳ１７：ＮＯ）、θ１にθ２を設定し（ステップＳ２０）、この変更後のθ１を実験ディレイ値に設定し、ステップＳ１３と同様にして、この実験ディレイ値での主観実験処理を行い、このときのθ１を決定すると（ステップＳ２１）、ステップＳ１６に移行する。【００８６】
このように演算部１１は、φ０またはφ１を変更しながら、変更後のディレイ値で主観実験を行い、｜θ０−θ１｜が閾値ｄｉｆｆ以下になると（ステップＳ１６：ＮＯ）、設定された帯域に対する最適ディレイ値にφ２を設定し（ステップＳ１）、定位実験処理を終了させる。【００８７】
演算部１１は、２つの帯域に対する定位実験処理を終えると、その他の帯域に対する最適ディレイ値を算出する（ステップＳ６）。具体的に、演算部１１は、低域の所定帯域（例えば、１２５Ｈｚ）に対する最適ディレイ値を記憶部から取得し、この最適ディレイ値と、主観実験処理によって決定した２つの最適ディレイ値と、で線形補間を行い、これによって他の帯域に対する最適ディレイ値を算出する。そして、演算部１１は、主観実験処理によって決定した最適ディレイ値と補間された最適ディレイ値とを、サラウンド再生システムに用いられるディレイ値として記憶部１２に記憶させる。【００８８】
以上説明したように、本実施形態によれば、試験信号発生部１３が、試験信号を発生させ、当該試験信号を左側スピーカＬＳＰに供給するとともに遅延部１４に供給する。そして、遅延部１４が、この試験信号を、演算部１１により設定された実験ディレイ値に相当する分遅延させ、遅延させた試験信号を右側スピーカＲＳＰに供給する。スピーカＬＳＰ及びＲＳＰから試験音が出力されたときの音像の定位方向が、入力部１６を用いてユーザにより指定されると、演算部１１は、この定位方向に対応する定位角を求める。こうして、演算部１１は、異なる２つのディレイ値φ０とφ１とで定位角θ０とθ１とを求めると、この２つの定位角の差と閾値ｄｉｆｆとを比較しする。そして、演算部１１は、差が閾値ｄｉｆｆより大きいと判定している間、φ０とφ１とのうち何れか一方を変更し、変更した方のディレイ値に対応する定位角を求め、更に２つの定位角の差と閾値ｄｉｆｆとを比較する。そして、演算部１１は、差が閾値ｄｉｆｆ以下であると判定した場合には、このときのφ０からφ１までの範囲内で、一のディレイ値を最適ディレイ値として選択する。【００８９】
従って、主観実験を行わなければならないディレイ値の数を減らした上で最適ディレイ値を求めることができるので、当該実験によるユーザの負担が軽減され、効率的に最適ディレイ値の設定を行うことができる。【００９０】
また、φ０初期値からφ１の初期値までの範囲内に定位角が最大となるディレイ値が含まれるように、これらの初期値が設定されているので、より効率的に最適ディレイ値を求めることができる。特に、φ０初期値はπラジアンであり、φ１の初期値は２πラジアンであるので、最適な範囲で最適ディレイ値を求めることができる。【００９１】
また、演算部１１は、φ０とφ１との差が閾値ｄｉｆｆより大きいと判定している間、定位角が小さい方の実験ディレイ値を、他方の実験ディレイ値に近づくように変更する。特に、演算部１１は、定位角が小さい方の実験ディレイ値を（φ０＋φ１）／２に変更するので、主観実験の回数を効率的に減らすことができる。【００９２】
また、演算部１１は、φ０とφ１との差が閾値ｄｉｆｆ以下であると判定した場合には、（φ０＋φ１）／２を最適ディレイ値とするので、より効率的に最適ディレイ値を求めることができる。【００９３】
また、試験信号発生部１３は、演算部１１の制御により、互いに異なる複数の周波数で別々のタイミングで試験信号を発生させ、演算部１１は、これらの周波数を夫々中心周波数とする帯域毎に最適ディレイ値を決定し、この複数の最適ディレイ値に基づいて、その他の帯域における最適ディレイ値を算出する。【００９４】
従って、主観実験を行わなければならない帯域の数を減らした上で、最適ディレイ値を求めることができるので、当該実験によるユーザの負担が軽減され、効率的に最適ディレイ値の設定を行うことができる。【００９５】
また、演算部１１は、主観実験による２つの帯域での最適ディレイ値と、予め定められた帯域に対して予め設定された最適ディレイ値と、の３つのディレイ値で、その他の帯域における最適ディレイ値を、線形補間によって求めるので、主観実験を２つの帯域で行うだけで、必要な全ての帯域における最適ディレイ値を求めることができる。特に、予め定められた帯域は、リスナーの特性などにあまり影響されない範囲（２５０Ｈｚ程度以下）で選択され、このときの主観実験等により得られた最適ディレイ値が予め設定されているので、その他の帯域における最適ディレイ値を精度良く算出することができる。【００９６】
［５．サラウンド再生システム（４．１ｃｈ）への適用例］
次に、本実施形態を４．１ｃｈのサラウンド再生システムのＡＶアンプに適用した場合の実施例について説明する。【００９７】
図１１は、本実施例に係るＡＶアンプ５０の概要構成の一例を示すブロック図である。【００９８】
図１１に示すように、ＡＶアンプ５０は、マイコン５１と、メモリ５２と、デコーダ５３と、試験信号発生回路５４と、スイッチ５５及び５６と、アッテネータ５７及び６０と、オールパスフィルタ５８及び６１と、加算器５９及び６２と、ディスプレイ６３と、マウス６４と、を含んで構成されている。【００９９】
ここで、マイコン５１は、比較手段、制御手段、選択手段、算出手段及び設定手段を構成し、試験信号発生回路５４は、試験音信号出力手段を構成する。また、オールパスフィルタ５８及び６１は、遅延手段を構成し、加算器５９及び６２は、一方出力手段及び他方出力手段を構成し、マウス６４は、入力手段を構成する。【０１００】
マイコン５１は、ＣＰＵ、ＲＯＭ、ＲＡＭ等により構成されており、メモリ５２に記憶されている各種プログラム等を読み出し実行ことにより、ＡＶアンプ５０を制御するとともに、比較手段、制御手段、選択手段、算出手段及び設定手段として機能するようになっている。【０１０１】
メモリ５２は、フラッシュメモリであり、各種プログラム及び最適ディレイ値を記憶するようになっている。【０１０２】
デコーダ５３には、ＡＶアンプ５０の外部からオーディオストリーム信号Ａｓが入力されるようになっており、当該デコーダ５３は、このオーディオストリーム信号Ａｓを復号し、左側ステレオ信号Ｌ、右側ステレオ信号Ｒ、左側サラウンド信号Ｌｓ、右側サラウンド信号Ｒｓ及び低音域効果信号Ｌｆｅを出力するようになっている。【０１０３】
デコーダ５３から出力された左側ステレオ信号Ｌは、加算器６２に供給されるようになっている。また、右側ステレオ信号Ｒは、加算器５９に供給されるようになっている。【０１０４】
また、左側サラウンド信号Ｌｓは、加算器６２と、アッテネータ５７とに夫々供給されるようになっている。また、右側サラウンド信号Ｒｓは、加算器５９と、アッテネータ６０とに夫々供給されるようになっている。また、低音域効果信号Ｌｆｅは、サブウーファＳＷに供給されるようになっている。【０１０５】
試験信号発生回路５４は、マイコン５１により設定された周波数の試験信号を、スイッチ５５及び５６に供給するようになっている。【０１０６】
スイッチ５５は、一方の端子が試験信号発生回路５４に接続され、他方の端子が加算器６２及びアッテネータ５７に接続されてる。スイッチ５５がＯＮとなると、試験信号発生回路５４からの試験信号が加算器６２とアッテネータ５７とに供給されるようになっている。【０１０７】
アッテネータ５７は、デコーダ５３から供給された左側サラウンド信号Ｒｓまたは試験信号発生回路５４から供給された試験信号を減衰させ（例えば６ｄＢ）、オールパスフィルタ５８に供給するようになっている。【０１０８】
オールパスフィルタ５８は、アッテネータ５７からの出力信号を周波数帯域毎に遅延させるようになっている。具体的に、オールパスフィルタ５８は、例えば、１２５Ｈｚ周辺から４ＫＨｚ周辺までの５オクターブに渡る出力信号を、３分の１オクターブの帯域毎に分割し、分割された帯域毎に、夫々マイコン５１により設定されたディレイ値で遅延させ、遅延させた周波数帯域毎の信号を一つの信号に合成するようになっている。そして、オールパスフィルタ５８は、合成した信号を、加算器５９に供給するようになっている。【０１０９】
加算器５９は、デコーダ５３からの右側ステレオ信号Ｒと、同じくデコーダ５３からの右側サラウンド信号Ｒｓと、オールパスフィルタ５８の出力信号とを加算し、加算された信号を右側スピーカＲＳＰに出力するようになっている。【０１１０】
スイッチ５６は、一方の端子が試験信号発生回路５４に接続され、他方の端子が加算器５９及びアッテネータ６０に接続されてる。スイッチ５６がＯＮとなると、試験信号発生回路５４からの試験信号が加算器５９とアッテネータ６０とに供給されるようになっている。【０１１１】
アッテネータ６０は、デコーダ５３から供給された右側サラウンド信号Ｒｓまたは試験信号発生回路５４から供給された試験信号を減衰させ（例えば６ｄＢ）、オールパスフィルタ６１に供給するようになっている。【０１１２】
オールパスフィルタ６１は、アッテネータ６０からの出力信号を周波数帯域毎に遅延させ、加算器５９に供給するようになっている。オールパスフィルタ６１の構成は、オールパスフィルタ５８と同様である。【０１１３】
加算器６２は、デコーダ５３からの左側ステレオ信号Ｌと、同じくデコーダ５３からの左側サラウンド信号Ｌｓと、オールパスフィルタ６１の出力信号とを加算し、加算された信号を左側スピーカＬＳＰに出力するようになっている。【０１１４】
以下に、ＡＶアンプ５０の動作について説明する。【０１１５】
先ず、マイコン５１の制御に基づいて、オールパスフィルタ５８及び６１に用いられる最適ディレイ値を夫々設定する。具体的な処理内容は、図８及び図９に示した処理内容と基本的に同様である。【０１１６】
ここで、マイコン５１は、オールパスフィルタ５８について設定を行う場合には、先ず、スイッチ５５をＯＮにさせる一方、スイッチ５６をＯＦＦにさせる。こうすることで、試験信号発生回路５４から出力された試験信号は、加算器６２を介して左側スピーカＬＳＰに供給され、当該左側スピーカＬＳＰから試験音が出力される。また、同じく試験信号発生回路５４から出力された試験信号は、アッテネータ５７によって減衰させられ、更にオールパスフィルタ５８により遅延させられる。そして、この試験信号が加算器５９を介して右側スピーカＲＳＰに供給され、当該右側スピーカＲＳＰから、遅延した試験音が出力される。そして、マイコン５１は、２つの帯域において、φ０とφ１を適宜変更してオールパスフィルタに設定し、この結果得られた最適ディレイ値から各帯域における最適ディレイ値を求め、メモリ５２に記憶させる。【０１１７】
また、マイコン５１は、オールパスフィルタ６１について設定を行う場合には、先ず、スイッチ５５をＯＦＦにさせる一方、スイッチ５６をＯＮにさせる。こうすることで、試験信号発生回路５４から出力された試験信号は、加算器５９を介して右側スピーカＲＳＰに供給され、当該右側スピーカＲＳＰから試験音が出力される。また、同じく試験信号発生回路５４から出力された試験信号は、アッテネータ６０によって減衰させられ、更にオールパスフィルタ６１により遅延させられる。そして、この試験信号が加算器６２を介して左側スピーカＬＳＰに供給され、当該左側スピーカＬＳＰから、遅延した試験音が出力される。そして、マイコン５１は、オールパスフィルタ５８の場合と同様にして最適ディレイ値を求め、メモリ５２に記憶させる。【０１１８】
最適ディレイ値が設定された後、ユーザの指示によりオーディオの再生指示されると、マイコン５１は、スイッチ５５及び５６をＯＦＦにさせ、デコーダ５３からの出力信号が各部に供給されるようにする。また、マイコン５１は、メモリ５２に記憶されている帯域毎の最適ディレイ値をオールパスフィルタ５８と６１とに設定する。そして、デコーダ５３にオーディオストリーム信号Ａｓが入力されると、当該デコーダ５３は、当該信号を復号し、左側ステレオ信号Ｌ、右側ステレオ信号Ｒ、左側サラウンド信号Ｌｓ、右側サラウンド信号Ｒｓ及び低音域効果信号Ｌｆｅを出力する。アッテネータ５７に左側サラウンド信号Ｌｓが供給されると、当該信号は、アッテネータ５７において遅延させられ、オールパスフィルタ５８により減衰させられる。また、アッテネータ６０に右側サラウンド信号Ｒｓが供給されると、当該信号は、アッテネータ６０において遅延させられ、オールパスフィルタ６１により減衰させられる。【０１１９】
そして、加算器６２により、左側ステレオ信号Ｌ、左側サラウンド信号Ｌｓ及びオールパスフィルタ６１からの出力信号が加算されて、左側スピーカＬＳＰに供給される。また、加算器５９により、右側ステレオ信号Ｒ、右側サラウンド信号Ｒｓ及びオールパスフィルタ５８からの出力信号が加算されて、右側スピーカＲＳＰに供給される。【０１２０】
以上のような構成及び動作のＡＶアンプ５０を利用することにより、ユーザは、自身の特徴や自身のリスニング環境に適したサラウンド音響を楽しむことができる。【０１２１】
なお、４．１ｃｈに限らず、例えば、５．１ｃｈや４ｃｈ等のサラウンド再生システムに適用することも可能である。【０１２２】
また、本発明は、上記実施形態に限定されるものではない。上記実施形態は、例示であり、本発明の請求の範囲に記載された技術的思想と実質的に同一な構成を有し、同様な作用効果を奏するものは、如何なるものであっても本発明の技術的範囲に包含される。
【図１】
2010004649.tif 000003
【図２】
2010004649.tif 000004
【図３】
2010004649.tif 000005
【図４】
2010004649.tif 000006
【図５】
2010004649.tif 000007
【図６】
2010004649.tif 000008
【図７】
2010004649.tif 000009
【図８】
2010004649.tif 000010
【図９】
2010004649.tif 000011
【図１０】
2010004649.tif 000012
【図１１】
2010004649.tif 000013
【国際調査報告】
2010004649.tif 000014
2010004649.tif 000015
2010004649.tif 000016